(57)【要約】内燃機関と結合することができる入力軸（２）及び少なくとも１個の車軸と結合することができる出力軸（３）を備えた自動車用自動変速機（１）が記載されている。また第１及び第２の遊星歯車セット（５、６）と複数個のシフト要素（７、８、９、１０、１１、１２）を有する機械式変速機（４）が設けられ、第１の遊星歯車セット（５）は一段式遊星歯車セット、第２の遊星歯車セット（６）は二段式、特にラビニョー遊星歯車セットであって、第２の遊星歯車セットは第１の遊星歯車セットに後置されている。本発明に基づき別のシフト要素（１３）によって第１の遊星歯車セット（５）の第１の軸（１４）と第２の軸（１６）を結合することができ、それによって２つの別の前進段と１つの別の後退段を実現することができる。
2005500480.tif 000002
【特許請求の範囲】
【請求項１】
内燃機関と結合することができる入力軸（２）と、少なくとも１個の車軸と結合することができる出力軸（３）と、第１及び第２の遊星歯車セット（５、６）および複数個のシフト要素（７、８、９、１０、１１、１２）を備えた機械式変速機（４）とを有し、第１の遊星歯車セット（５）が単式遊星歯車セットであって、該単式遊星歯車セットにラビニョー遊星歯車セット等の複式遊星歯車セットが第２の遊星歯車セット（６）として後置されている自動車用自動変速機（１）において、
第１の遊星歯車セット（５）の第１の軸と第１の遊星歯車セット（５）の第２の軸を結合するために別のシフト要素（１３）が設けられていることを特徴とする自動車用自動変速機（１）。
【請求項２】
別のシフト要素（１３）によって第１の遊星歯車セット（５）の太陽歯車（１４）と第１の遊星歯車セット（５）の内歯車（１６）を結合することができることを特徴とする、請求項１に記載の自動車用自動変速機（１）。
【請求項３】
太陽歯車（１４）と太陽歯車軸（１５）、内歯車（１６）と内歯車軸（１７）が結合されており、別のシフト要素（１３）によって太陽歯車軸（１５）と内歯車軸（１７）を結合することができることを特徴とする、請求項１又は２に記載の自動車用自動変速機（１）。
【請求項４】
第１の遊星歯車セット（５）の内歯車軸（１７）が入力軸（２）と結合されていることを特徴とする、請求項３に記載の自動車用自動変速機（１）。
【請求項５】
別のシフト要素（１３）が多板クラッチとして構成されていることを特徴とする、請求項１乃至４のいずれか一項に記載の自動車用自動変速機（１）。
【請求項６】
別のシフト要素（１３）がかみあいクラッチとして構成されていることを特徴とする、請求項１乃至４のいずれか一項に記載の自動車用自動変速機（１）。
【請求項７】
別のシフト要素（１３）がフリーホイールとして構成されていることを特徴とする、請求項１乃至４のいずれか一項に記載の自動車用自動変速機（１）。
【請求項８】
別のシフト要素（１３）が内歯車軸（１７）及び／又は太陽歯車軸（１５）と同軸に、かつ入力軸（２）と第１の遊星歯車セット（５）の間に軸方向に配列されていることを特徴とする、先行請求項のいずれか一項に記載の自動車用自動変速機（１）。
【発明の詳細な説明】
【技術分野】
【０００１】
本発明は、内燃機関と結合することができる入力軸と、少なくとも１個の車軸と結合することができる出力軸と、第１及び第２の遊星歯車セットを備えた機械式変速機とを有し、第１の遊星歯車セットが一段式遊星歯車セットとして構成され、第２の遊星歯車セットが二段式遊星歯車セット、特にラビニョー遊星歯車セットとして構成され、第１の遊星歯車セットに後置されている自動車用自動変速機に関する。また、複数の前進段と少なくとも１個の後退段のシフトのためのシフト要素が設けられている。
【背景技術】
【０００２】
機械式変速機を備えた上記の種類の自動多段変速機は欧州特許公報ＥＰ４３４５２５Ｂ１により公知である。この変速機によって例えば前進６段、後退１段をシフトすることができる。
【０００３】
また上記の自動変速機を補足して、スタータ／発電機として構成された電気機械を備えた変速機が説明されている（VDI−Berichte  Ｎｏ．１６１０，２００１，４５５〜４７９頁、「インテリジェント自動装置、インテリジェントな自動変速機」教授P.Tenberge博士、Chemnitz）。この変速機は前進７段、後退１段のシフト及び５つの前進レンジでの変速比の無段階変更のために設けられたものである。その場合流体コンバータを省くことによって得た場所に、コンバータに代わって電気機械が配備される。こうして発進操作は３つの異なる方式で、即ち純電動式で、又は内燃機関と発進要素としての別のブレーキとにより、又は内燃機関とこの場合ブレーキの機能を受け持つ電気機械との併用により行われる。制御装置と蓄電池を付け加えることによって、快適な発進／停止操作、電気ブースターにより部分的に可能な無段階運転操作、制動時に可能なエネルギー回収及び純電気的無放出運転という追加利得が得られる。上記のインテリジェント自動装置では内燃機関とインテリジェント・マシンが遊星歯車セットによって互いに連結されるから、遊星歯車セットが２つの駆動装置のトルク比を確定する。
【発明の開示】
【発明が解決しようとする課題】
【０００４】
本発明の課題は、機械式変速機の別のシフト操作が可能であることを示し、それによって段数が多く、製造費が少ない変速機を可能にすることである。
【課題を解決するための手段】
【０００５】
この課題は請求項１の特徴を有する上記の種類の自動車用自動変速機によって達成される。本発明によれば第１の遊星歯車セットの１つの歯車と第１の遊星歯車セットの第２の歯車を結合するための別のシフト要素が提案される。この補助シフト要素、例えばクラッチの締結によって第１の遊星歯車セットをロックすることができるから、２つの補助前進段と１つの補助後退段をシフトできるという利点がある。こうして本発明に基づく変速機により９つの前進段と２つの後退段を実現することができる。
【０００６】
別のシフト要素によって第１の遊星歯車セットの太陽歯車と第１の遊星歯車セットの内歯車を結合することができる。それによって第１の遊星歯車セットの出力回転数が入力回転数に相当し、第１の遊星歯車セットが変速比ｉ＝１を有するように、第１の遊星歯車セットをロックすることが好ましい。
【０００７】
発明の有利な改良として太陽歯車と太陽歯車軸、内歯車と内歯車軸を結合し、別のシフト要素によって第１の遊星歯車セットの太陽歯車軸を内歯車軸と結合することを提案する。
【０００８】
内歯車軸の直接駆動とともに第１の遊星歯車セットのより簡単な構造が提示されるように、第１の遊星歯車セットの内歯車軸と自動車変速機の入力軸を結合することが好ましい。
【０００９】
別のシフト要素は多板クラッチ、かみ合いクラッチ又はフリーホイールとして構成することが好ましい。
【００１０】
別のシフト要素を内歯車軸及び／又は太陽歯車軸と同軸に配置し、入力軸と第１の遊星歯車セットの間にこのシフト要素を軸方向に配置することによって、シフト要素の場所を取らない安価な配列を提案する。
【００１１】
発明のその他の目標、利点及び実施態様は以下の実施例の説明により明らかである。その場合説明又は図示したすべての特徴は単独で又は任意の適宜な組合わせとして、特許請求の範囲に示した要旨及び当該の本文に関係なく、発明の主題である。
【発明を実施するための最良の形態】
【００１２】
単一の図は本発明に基づく自動車用自動変速機１を示す。この変速機１はおおむね入力軸２の入力側を例えばねじり振動止を介して図示しない内燃機関と連結したものである。出力側に出力軸３が設けられ、少なくとも１個の車軸と結合される。２つの軸２及び３の間に変速機４が配置されている。変速機４は第１の変速機段５及び第２の変速機段６と複数個のクラッチ７、８、９及びブレーキ１０及び１１からなる。第１の変速機段５は例えば単式遊星歯車セットからなる。この遊星歯車セットは第２の変速機段としての複式遊星歯車セット、特にラビニョー遊星歯車セットに前置されている。このような配列によって例えば前進６段、後退１段の多段自動変速機が可能である。
【００１３】
第１の遊星歯車セット５の太陽歯車１４は発進用ブレーキ１２と結合されているから、この変速機１を装備する車は流体コンバータなしで発進することができる。第１の遊星歯車セット５の内歯車１６は内歯車軸１７を介して自動車変速機１の入力軸２と常時結合される。遊星歯車１８はプラネットキャリア１９に遊転可能に支承され、クラッチ７、８、９により第２の遊星歯車セット６と結合するか又は第１のブレーキ１０とハウジング３１によりロックすることができる。
【００１４】
入力軸２と第１の遊星歯車セット５の間には、本発明に基づき別のシフト要素例えば第４のクラッチ１３が設けられている。このクラッチ１３によって太陽歯車軸１５を内歯車軸１７と直結し、こうして第１の遊星歯車セット５をロックすることができる。こうしてシフト要素１３により第１の遊星歯車セット５に変速比ｉ＝１を設定することができる。
【００１５】
第２の遊星歯車セット６はおおむね第１の太陽歯車２０と第１の太陽歯車軸２１及び第２の太陽歯車２２と第２の太陽歯車軸２３からなる。第１の遊星歯車２４のセットは第１のプラネットキャリア２６に支承され、ブレーキ１１とハウジング３１によりロックすることができる。第２の遊星歯車２５のセットは第２のプラネットキャリア２７に支承され、副軸３０とクラッチ８により第１の遊星歯車セット５と結合することができる。第２の遊星歯車セット６の内歯車２８は内歯車軸２９を介して自動車変速機１の出力軸３と結合されている。
【００１６】
シフト要素１３を締結することによって第１の遊星歯車セット５は一団になって回転するから、第１及び第２の遊星歯車装置５、６の組合せにより２つの補助前進段と１つの補助後退段をシフトすることができる。そこで本発明の変速機によって前進６段と後退２段が実現されるという利点がある。
【図面の簡単な説明】
【００１７】
【図１】本発明に基づく自動車用自動変速機の概略図である。
【符号の説明】
【００１８】
１  自動車変速機
２  入力軸
３  出力軸
４  手動変速機
５  第１の遊星歯車セット
６  第２の遊星歯車セット（ラビニョー遊星歯車セット）
７  シフト要素、第１のクラッチ
８  シフト要素、第２のクラッチ
９  シフト要素、第３のクラッチ
１０  シフト要素、第１のブレーキ
１１  シフト要素、第２のブレーキ
１２  シフト要素、第３のブレーキ
１３  シフト要素、第４のブレーキ
１４  太陽歯車
１５  太陽歯車軸
１６  内歯車
１７  内歯車軸
１８  遊星歯車
１９  プラネットキャリア
２０  第１の太陽歯車
２１  第１の太陽歯車軸
２２  第２の太陽歯車
２３  第２の太陽歯車軸
２４  第１の遊星歯車
２５  第２の遊星歯車
２６  第１のプラネットキャリア
２７  第２のプラネットキャリア
２８  内歯車
２９  内歯車軸
３０  副軸
３１  ハウジング
３２  ポンプ
３３  電動機
【国際公開パンフレット】
2005500480.tif 000003
2005500480.tif 000004
2005500480.tif 000005
2005500480.tif 000006
2005500480.tif 000007
2005500480.tif 000008
2005500480.tif 000009
2005500480.tif 000010
2005500480.tif 000011
2005500480.tif 000012
2005500480.tif 000013
2005500480.tif 000014
【手続補正書】
【提出日】平成15年8月13日(2003.8.13)
【手続補正１】
【補正対象書類名】特許請求の範囲
【補正対象項目名】全文
【補正方法】変更
【補正の内容】
【特許請求の範囲】
【請求項１】
内燃機関と結合することができる入力軸（２）と、少なくとも１個の車軸と結合することができる出力軸（３）と、第１及び第２の遊星歯車セット（５、６）並びに複数個のシフト要素（７、８、９、１０、１１、１２）を備えた機械式変速機（４）とを有し、第１の遊星歯車セット（５）が一段式遊星歯車セットであって、これに二段式遊星歯車セット即ちラビニョー遊星歯車セットが第２の遊星歯車セット（６）として後置されている自動車用自動変速機（１）において、
第１の遊星歯車セット（５）の第１の軸と第１の遊星歯車セット（５）の第２の軸を結合するために、別のシフト要素（１３）が設けられていることを特徴とする自動車用自動変速機。
【請求項２】
別のシフト要素（１３）によって第１の遊星歯車セット（５）の太陽歯車（１４）と第１の遊星歯車セット（５）の内歯車（１６）を結合することができることを特徴とする、請求項１に記載の自動車用自動変速機（１）。
【請求項３】
太陽歯車（１４）と太陽歯車軸（１５）、内歯車（１６）と内歯車軸（１７）が結合されており、別のシフト要素（１３）によって太陽歯車軸（１５）と内歯車軸（１７）を結合することができることを特徴とする、請求項１又は２に記載の自動車用自動変速機（１）。
【請求項４】
第１の遊星歯車セット（５）の内歯車軸（１７）が入力軸（２）と結合されていることを特徴とする、請求項３に記載の自動車用自動変速機（１）。
【請求項５】
別のシフト要素（１３）が多板クラッチとして構成されていることを特徴とする、請求項１乃至４のいずれか一項に記載の自動車用自動変速機（１）。
【請求項６】
別のシフト要素（１３）がかみあいクラッチとして構成されていることを特徴とする、請求項１乃至４のいずれか一項に記載の自動車用自動変速機（１）。
【請求項７】
別のシフト要素（１３）がフリーホイールとして構成されていることを特徴とする、請求項１乃至４のいずれか一項に記載の自動車用自動変速機（１）。
【請求項８】
別のシフト要素（１３）が内歯車軸（１７）及び／又は太陽歯車軸（１５）と同軸に、かつ入力軸（２）と第１の遊星歯車セット（５）の間に軸方向に配列されていることを特徴とする、先行請求項のいずれか一項に記載の自動車用自動変速機（１）。
【国際調査報告】
2005500480.tif 000015
2005500480.tif 000016
2005500480.tif 000017
2005500480.tif 000018